(57)【要約】【課題】  既知の光度の光源を基準として光度測定が可能な画像取込み用のＣＣＤカメラを利用し、自動車のすれ違い灯及び走行灯の照射方向を正確に検出するヘッドライトテスターの照射方向検出装置を提供する。【解決手段】  特に立ち上がりラインのあるすれ違い灯の照射方向の検出において、取り込んだ配光像の左右方向に所定の角度間隔で設定した各３点の検出点を組み合せた水平部検出の検出列と傾斜部検出の２本の検出列とを移動可能に設け、第１段階では、配光の大略の明暗の境界線を検出し、第２段階では、傾斜線の勾配と水平線とその交点であるエルボー点を検出し、第３段階では、前段階で生じた検出点の明暗のずれを微調整し、これらの検出手順により、従来、誤差を生じやすいエルボー点の左右位置を正確に検出する。【選択図】        図１０
2005255004.tif 000002
【特許請求の範囲】
【請求項１】
上下左右に移動可能な筐体の前面にヘッドライト光を収束する集光レンズを設けると共に、該筐体内に該集光レンズからの収束光を受像する配光スクリーンと該配光スクリーン上の配光像を検出するＣＣＤカメラを設け、該ＣＣＤカメラからの出力をメモリーに入力し、該配光像メモリー上の複数の所定位置に検出点を設定すると共に該検出点の各々の明るさを検出してヘッドライトの照射方向の算出を行う演算処理部を設けると共に、該演算処理部に前記検出点の配置型を記憶する配置型記憶手段と算出手順のための手順制御手段とを接続したヘッドライトテスターの照射方向検出装置。
【請求項２】
前記配置型記憶手段は、前記配光像メモリー上の左右方向に所定の間隔で前記手順制御手段による算出手順に従って移動検出する３本の検出列を設定すると共に、該検出列は各々所定複数の集合した検出点からなり、カットオフラインの水平部を検出する検出列及び傾斜部を検出するための２本の検出列から構成のカットオフラインのあるすれ違い灯用の検出点の配置型を記憶する第１配置型記憶手段を含む請求項１に記載のヘッドライトテスターの照射方向検出装置。
【請求項３】
前記配置型記憶手段は、前記配光像メモリー上の左右方向及び上下方向の所定位置に設定した走行灯の検出点の配置型を記憶する第２配置型記憶手段を含む請求項１又は請求項２に記載のヘッドライトテスターの照射方向検出装置。
【請求項４】
前記演算処理部は、カットオフラインの立ち上がりの傾斜角を１０度以下に算出した場合において、前記水平部検出の検出列の検出位置と該水平部検出列に近い側の前記傾斜部検出の検出列の検出位置との垂直方向の検出位置差が０．５度相当以上の場合には、段差のあるＺ形カットオフラインの配光と判断して、その垂直カットオフライン部分の検出のための垂直部検出列を追加した算出手順により照射方向の算出を行うことを特徴とする請求項２に記載のヘッドライトテスターの照射方向検出装置。
【請求項５】
前記演算処理部は、カットオフラインの立ち上がりの傾斜角を１０度以下に算出した場合において、前記水平部検出の検出列の検出位置と該水平部検出列に近い側の前記傾斜部検出の検出列の検出位置との垂直方向の検出位置差が０．５度相当以下の場合には、エルボー点のない水平形カットオフラインの配光と判断して、配光のホットゾーンの上下の所定検出点と左右の所定検出点とを結んだ交点位置を算出する算出手順により照射方向の算出を行うことを特徴とする請求項２に記載のヘッドライトテスターの照射方向検出装置。
【請求項６】
前記演算処理部は、カットオフラインのあるすれ違い灯の照射方向の算出値を表示すると共に、算出したすれ違い灯のカットオフライン形状を模した表示マークを同時に表示することを特徴とする請求項１に記載のヘッドライトテスターの照射方向検出装置。
【発明の詳細な説明】
【技術分野】
【０００１】
本発明は、自動車の主としてすれ違い灯及び走行灯の照射方向を検出するためのヘッドライトテスターの照射方向検出装置に関する。
【背景技術】
【０００２】
従来、自動車用ヘッドライトのすれ違い灯は、左下に高光度ゾーンのあるアメリカタイプのＳＡＥ方式とカットオフラインのあるヨーロッパタイプのＥＣＥ方式とがあり、ヘッドライトテスターの走行灯、すれ違い灯の照射方向や光度測定には図１８に示す様な走行灯及びすれ違い灯用に複数の固定センサを配置すると共に、走行灯用には図１９に示す如く１０メートル先相当の度数位置で、測定時、Ａ−Ｂ＝０の位置を検出し、照射方向上下の位置とし、Ｃ−Ｄ＝０の位置を検出し、照射方向左右の位置とし、又、Ｅ点において走行灯の明るさを検出しており、前記ＥＣＥ方式のすれ違い灯用には図２０に示す度数位置において、Ｆ、Ｇ、Ｈの検出列における測定で、２Ｇ−（Ｆ＋Ｈ）＝０の位置を検出しカットオフラインの上下の位置とし、Ａ、Ｊ、Ｋ及びＬ、Ｍ、Ｎの検出列において測定時、２（Ｊ＋Ｍ）−{（Ａ＋Ｌ）＋（Ｋ＋Ｎ）}＝０の位置を検出して斜めカットラインとして検出し、前記上下位置の水平カットラインと斜めカットラインの立ち上がり部分の交点（エルボー点）をカットオフラインの左右位置としており、又、Ｐ点においてすれ違い灯の路面光度を検出し、この様に走行灯とすれ違い灯を測定していた。
【０００３】
尚、左下に高光度ゾーンのあるアメリカタイプのＳＡＥ方式のすれ違い灯は前記走行灯と同様の方式で測定していた。
【０００４】
しかるに、前記のヨーロッパタイプであるＥＣＥ方式のすれ違い灯は、日本のような左側通行制の国では左上がりの折曲したカットオフラインがあり、この立ち上がりライン角度が以前１０°〜１５°であったものが近年１０°〜６０°の範囲に規格拡大したことにより前記の固定式の測定センサでは正しく測定することが困難となり、そのため、立ち上がりライン測定用のセンサ基板を可動して規格拡大に対応したものもある（例えば、特許文献１参照。）。
【特許文献１】特開２００２−２２６１４号公報
【発明の開示】
【発明が解決しようとする課題】
【０００５】
前記特許文献の従来のすれ違い灯測定装置は、立ち上がり角度を測定するための測定センサ基板を可動してヨーロッパタイプであるＥＣＥ方式の規格拡大に対応したものであるが、使用している測定センサはアナログ式のため、測定センサ毎に計測のバラツキ誤差や性能劣化を生ずる問題点があり、更に、カットオフライン形状に規制がないため、Ｚ字状の段差のある変形ライトも存在し、正確な測定がより困難となる問題点があった。
【０００６】
そのため、最近はアナログ式の計測センサに代えて、画像取り込み用のＣＣＤカメラを光度測定センサとして利用することが試みられている。
【０００７】
本発明は、アナログ式の測定センサの問題点を解消し、既知の光度の光源を基準としてライトの最高光度点と任意点の光度測定が可能な画像取り込み用のＣＣＤカメラによる装置を利用して、自動車のすれ違い灯及び走行灯の照射方向を正確に検出するヘッドライトテスターの照射方向検出装置を提供することを目的とする。
【課題を解決するための手段】
【０００８】
上記の目的を達成すべく、上下左右に移動可能な筐体の前面にヘッドライト光を収束する集光レンズを設けると共に、該筐体内に該集光レンズからの収束光を受像する配光スクリーンと該配光スクリーン上の配光像を検出するＣＣＤカメラを設け、該ＣＣＤカメラからの出力をメモリーに入力し、該配光像メモリー上の複数の所定位置に検出点を設定すると共に該検出点の各々の明るさを検出してヘッドライトの照射方向の算出を行う演算処理部を設けると共に、該演算処理部に前記検出点の配置型を記憶する配置型記憶手段と算出手順のための手順制御手段とを接続した。
【発明の効果】
【０００９】
本発明によると、カットオフラインのあるすれ違い灯の照射方向の検出に、光度測定可能な画像取り込み用のＣＣＤカメラを使用すると共に、先ず、大略の明暗の境界線を検出し、次に、立ち上がりラインの勾配を検出し、最後に、立ち上がりラインの勾配角度のずれを微調整する３段階の測定手順により、誤差を生じやすいエルボー点の左右位置を正確に検出できる効果を有する。
【発明を実施するための最良の形態】
【００１０】
本来、ヘッドライトは１０メートル前方での光度と照射方向のぶれ角を測定することが保安基準で定められており、通常はスペース上の制約から１メートル先の一定面積の受光面にライトを正対させて測定している。
【実施例１】
【００１１】
本発明の実施例１であるヘッドライトテスターの照射方向検出装置を図１乃至図３により説明する。
【００１２】
図１において、１はヘッドライトテスターを示し、該ヘッドライトテスター１は、床面に敷設されたレール上を左右方向に移動する台車１ｂと、該台車１ｂに立設した支柱１ｃと、該支柱１ｃに上下動可能に設けた直方体の筐体１ａとから構成されている。
【００１３】
次に本発明の照射方向検出のための主要部である筐体１ａの内部構成を図２により説明する。
【００１４】
筐体１ａの前面には被試車両の前照灯のライト光を受けるためのフレネルレンズなどの集光レンズ２が設けられていると共に、該筐体１ａの内部後方に該集光レンズ２からの収束した配光を受像するための配光スクリーン３が設けられ、該筐体１ａ内の中間上方に該配光を検出するためのＣＣＤカメラ４が設けられており、更に前照灯の正対用に該筐体１ａの中間部にハーフミラー５が斜設されており、該ハーフミラー５に映った前照灯Ａの映像を確認するためのライト正対用スクリーン６が該筐体１ａの前方上方部に設けられている。
【００１５】
尚、ＣＣＤカメラ４及びライト正対用スクリーン６が見る中心点を、ライトと配光スクリーン３の中心線に合致させている。
【００１６】
図３により演算処理系のシステム構成を説明する。
【００１７】
７は前記ＣＣＤカメラ４からの出力をファイルとして取り込むための画像取込み部、８はＣＰＵ及びメインメモリーからなる画像処理や演算処理を行うための演算処理部、９は所定位置を設定した検出点の配置型の記憶手段である配置型記憶部、１０は検出点の各々の明るさを検出してライトの照射方向を算出するための手順制御手段であるプログラム部、１１は表示制御部、１２は液晶パネルなどの表示部、１３は操作部を示す。
【００１８】
尚、９ａはカットオフラインのあるすれ違い灯用の第１配置型記憶手段である第１配置型記憶部、１０ａは同じくカットオフラインのあるすれ違い灯用の第１手順制御手段である第１プログラム部、９ｂは走行灯用の第２配置型記憶手段である第２配置型記憶部、１０ｂは同じく走行灯用の第２手順制御手段である第２プログラム部を示す。
【００１９】
又、前記配置型記憶部９はＲＡＭやＲＯＭなどのメモリーからなり、ソフトである前記プログラム部１０はフロッピー（登録商標）ディスクやＣＤ−ＲＯＭからなり、ＣＰＵである演算処理部８のメインメモリーにインストールされて機能し、該メインメモリーはＤＲＡＭやハードディスクなどからなると共に前記配置型記憶部９のメモリーは該メインメモリーの枝葉として機能する。
【００２０】
更に、これら配置型記憶部９とプログラム部１０と操作部１３はそれぞれ前記演算処理部８に直接接続され、更に前記ＣＣＤカメラ４は前記画像取込み部７を介して、又前記表示部１２は前記表示制御部１１を介してそれぞれ前記演算処理部８に接続されている。
【００２１】
次に本実施例１のヘッドライトテスター１の使用方法を説明する。
【００２２】
本実施例１では、前記ＣＣＤカメラ４で配光スクリーン上のランプ配光を画像取込み部７に取り込み、取り込んだ配光像メモリー上の所定位置に配置型記憶部９により配置した複数の検出点を設定し、これら検出点の各明るさを検出して、検出点の配置型とプログラム部１０による算出手順とによりヘッドライトの照射方向の算出を前記演算処理部８で行っている。
【００２３】
尚、検出点は正確には点ではなく、所定の画素数からなる面積のある点である。
【００２４】
最初に、被試車両をヘッドライトテスター１の前方の指定位置に停止させ、車両の前照灯を点灯させて、ライト正対用スクリーン６の中心に、左右どちらかのライトの、該ライトに予め設けられている所の、機械的中心点を示すポイントが重なって映る様に台車１ｂを左右方向に移動させ、筐体１ａを上下方向に移動させて、ライトの機械的な中心をライト正対用スクリーン６の中心に合致させる作業である正対の準備作業を終了する。
【００２５】
次に、ヘッドライトの照射方向の検出作業となり、先ず、ＥＣＥ方式のカットオフラインのあるすれ違い灯の照射方向の検出について説明する。
【００２６】
カットオフラインのあるすれ違い灯は、対向車の運転者を眩惑させないために、対向車路側は上方を照射しないような水平カットオフラインが設けられ、日本では左側の走行路側の照射のために、前記水平カットオフラインの左上方に折曲する立ち上がりラインが設けられており、前記水平カットオフラインの上下位置をカットオフラインの上下位置とし、水平ラインと立ち上がりラインとの交点、即ち、エルボー点の位置をカットオフラインの左右位置として検出する。
【００２７】
尚、ヨーロッパタイプのすれ違い灯は、カットオフラインの形状に規制がないので、多様な立ち上がりライン形状のライトがあり、例えば、立ち上がりラインの傾斜角が１０°〜１５°程度の標準的な傾斜ラインからなる標準形すれ違い灯、傾斜角が１０°以下でカットオフラインにＺ字状などの段差があるＺ形すれ違い灯、同じく傾斜角が１０°以下で水平に近いカットオフラインのある水平形すれ違い灯などに大別できる。
【００２８】
先ず操作部１３において走行灯かすれ違い灯かを指定入力し、すれ違い灯を指定すると、本実施例１では、最初に前記標準形すれ違い灯の検出から行い、第１プログラム部１０ａの手順に従って演算処理部８が第１配置型記憶部９ａにメモリーした検出点の配置型を３段階に順次移動させて、最終的に正確な算出値が得られるようにしており、第１段階では大略の明暗の境界線を検出し、第２段階では立ち上がりラインの勾配を検出し、第３段階では立ち上がりラインの検出を水平ラインの検出と同様にラインに対して直角にして検出値のずれを微調整して両ラインの交点のエルボー点の左右位置をより正確な検出値に近づける。
【００２９】
検出点の配置型は各段階の図４、図６、図８に示す、所定の複数の例えば各々３点の検出点を組合せた、所定の角度間隔に設定した３本の検出列からなり、カットオフラインの水平部を検出するためのＦ、Ｇ、Ｈ列と傾斜部を検出するための２本のＡ、Ｊ、Ｋ列と、Ｋ、Ｍ、Ｎ列とからなり、これら３本の検出列を配光像メモリー上の左右方向に所定の間隔で設定配置している。
【００３０】
第１段階では、ＣＣＤカメラ４で配光スクリーン３上のライト配光をメモリーに取り込み、取り込んだメモリー上の配光全体の中で大略の明暗の境界線を算出するために図４に示す如く、各々配光の中心位置として設定したＸ軸及びＹ軸において、カットオフラインの水平部検出用のＦ、Ｇ、Ｈ検出列が垂直方向にＸ軸の右側に２°相当位置に、カットオフラインの立ち上がりラインである傾斜部検出のＡ、Ｊ、Ｋ検出列及びＬ、Ｍ、Ｎ検出列がＸ軸に対して４５°の方向でＸ軸の左側に０．５°及び２．０°の間隔で設けられると共にＹ軸の上方側の０．１７°及び０．５２°の相当位置に複数の検出点の組み合せの各検出列を設定配置している。
【００３１】
尚、図４の配置は図２０の従来の測定センサ方式と同様な検出位置であり、図５に示す如く大略の明暗の境界線と仮のエルボー点を設定する。
【００３２】
カットオフラインの水平ラインの検出用のＦ、Ｇ、Ｈ検出列では、各々Ｆ点、Ｇ点、Ｈ点の明るさを検出し、
２Ｇ−（Ｆ＋Ｈ）＝０
の位置を算出し、カットオフラインの水平ラインの上下の位置とする。
【００３３】
カットオフラインの傾斜部の検出用の各４５°に配列したＡ、Ｊ、Ｋ検出列とＬ、Ｍ、Ｎ検出列では各々、Ａ点、Ｊ点、Ｋ点、Ｌ点、Ｍ点、Ｎ点の明るさを検出し、
２（Ｊ＋Ｍ）−{（Ａ＋Ｌ）＋（Ｋ＋Ｎ）}＝０
の位置を算出し、立ち上がりラインとし、前記水平ラインと該立ち上がりラインとの交点を仮のエルボー点とする。
【００３４】
尚、図４、図５において、Ｐ点及びｐ点はすれ違い灯の路面光度を検出する位置であり、Ｐ点はライトの取付高さ１メートル以下、ｐ点はライトの取付高さ１メートル以上の場合である。
【００３５】
第２段階では図６に示す如く各検出列はＸ軸の右側に２°、左側に０．５°及び２°の間隔の設定位置で、カットオフラインの水平部検出用のＦ、Ｇ、Ｈ検出列、傾斜部検出用のＡ、Ｊ、Ｋ検出列及びＬ、Ｍ、Ｎ列の検出列は各々３点組合せの検出点ともＹ軸に平行な垂直方向で、所定の左右方向の角度間隔で設けており、これら３本の検出列とも当初は上方のスタート位置から下方の位置に各々移動しながら明暗の境界線を検出し、カットオフラインの水平部検出用のＦ、Ｇ、Ｈ検出列では、
２Ｇ−（Ｆ＋Ｈ）＝０
の位置を算出し、水平ラインの位置がカットオフラインの上下位置となる。
【００３６】
カットオフラインの傾斜部検出用のＡ、Ｊ、Ｋ検出列とＬ、Ｍ、Ｎ検出列は、
２Ｊ−（Ａ＋Ｋ）＝０
２Ｍ−（Ｌ＋Ｎ）＝０
の位置を各々検出し、図７に示す如く、両検出位置のＪ点、Ｍ点を直線で結び、立ち上がりラインとし、前記Ｆ、Ｇ、Ｈ検出列が検出した水平ラインとの交点（エルボー点）をカットオフラインの左右位置とする。
【００３７】
尚、第２段階において、Ｆ、Ｇ、Ｈ検出列は水平ラインに直交して検出しているが、Ａ、Ｊ、Ｋ検出列及びＬ、Ｍ、Ｎ検出列は垂直方向に向いており、立ち上がりラインに対して直交せず傾斜した状態で検出しているので、前記Ｆ、Ｇ、Ｈ検出列と同様に立ち上がりラインに対して直交して検出する場合とは、暗部側の検出点のＡ点、Ｌ点、明部側の検出点のＫ点、Ｎ点で暗目となったり、明かる目となったりの明暗の多少のずれを生じて検出する立ち上がりラインの勾配が微妙に変化するので、次の第３段階ではこの明暗のずれを調整する。
【００３８】
第３段階では図８に示す如く、前記第２段階で算出した立ち上がりラインの勾配に対して、各々Ｊ点、Ｍ点を中心にＡ、Ｊ、Ｋ検出列及びＬ、Ｍ、Ｎ検出列を直交する方向に角度を変えながら測定の微調整を行い、前記Ｆ、Ｇ、Ｈ検出列の直交検出と同様の検出条件のラインに直交する検出を行い、より正確に勾配角度を算出する。
【００３９】
Ｆ、Ｇ、Ｈ検出列は前記第２段階と同様に
２Ｇ−（Ｆ＋Ｈ）＝０
の位置を算出し、カットオフラインの上下位置とする。
【００４０】
立ち上がりラインに直交する方向に向きを変えたＡ、Ｊ、Ｋ検出列及びＬ、Ｍ、Ｎ検出列は
２Ｊ−（Ａ＋Ｋ）＝０
２Ｍ−（Ｌ＋Ｎ）＝０
の位置を各々再算出し、図９に示す如く、両検出位置を直線で結び、直交する方向の検出により、明暗のずれを調整して適切な勾配角度となった該直線の延長線と前記Ｆ、Ｇ、Ｈ検出列が算出したカットオフラインの水平ラインとの交点（エルボー点）を算出し、立ち上がりラインの勾配角度を微調整した両ラインの交点である該エルボー点の左右位置をカットオフラインの左右位置とする。
【００４１】
この様に、第３段階において、立ち上がりラインに直交する方向の検出により前記第２段階で生じた傾斜した状態における検出点の明暗のずれを調整して勾配角度を微調整し、従来、左右方向に誤差を生じやすいエルボー点の左右位置を正確に算出することができる。
【００４２】
尚、第２段階において、前記傾斜部を検出するＡ、Ｊ、Ｋ検出列及びＬ、Ｍ、Ｎ検出列の２本の検出列を、Ｙ軸と平行の垂直方向でなく、前記第１段階の場合と同様に４５°に傾斜したまま、前記２本の検出列を上方から下方に移動させてもよく、又、各段階において各検出列の検出点は、３点組合せのみでなく、例えば、２点乃至５点などの所定の複数を組合わせてもよい。
【００４３】
図１０は、ヘッドライトテスター１によるカットオフラインのあるすれ違い灯の算出手順のフローチャート図を示し、該フローチャートのステップ１（Ｐ１）として、ＣＣＤカメラ４で配光スクリーン３上のランプ配光を画像取込み部７に取り込み、ステップ２（Ｐ２）では前記図４の第１段階の配置型で取り込んだ配光全体の中で大略の明暗の境界線を算出し、ステップ３（Ｐ３）では第１段階の配置型での検出を完了し、ＮＯであればステップ２（Ｐ２）に戻し、ＹＥＳであれば次のステップ４（Ｐ４）に進み、ステップ４（Ｐ４）では大略の明暗の境界線から図６の第２段階の配置型によりカットオフラインの立ち上がりラインの傾斜の勾配を検出し、次にステップ５（Ｐ５）で前記勾配を算出し、ＮＯであればＰ４に戻し、ＹＥＳであればステップ６（Ｐ６）において算出した勾配の角度を判定し、１０°以下のＮＯであれば後述のＺ形或いは水平形のライトと判断してステップ９（Ｐ９）に進み、１０°以上のＹＥＳであればステップ７（Ｐ７）において、エルボー点及び所定位置の路面光度を表示すると共に、図１５の図イに示す如くの、標準形のカットオフライン形状を模したマークを表示し、ステップ８（Ｐ８）において、以降の測定が必要でないＮＯであれば測定を終了し、再測定が必要なＹＥＳであればステップ１（Ｐ１）に戻す。
【００４４】
次に、前記ステップ６（Ｐ６）において判定した勾配が１０°以下のＮＯであった場合は、ステップ９（Ｐ９）においてＺ形のライトか水平形のライトかの判断を演算処理部８が行う。
【００４５】
図１１はＺ形すれ違い灯、図１３は水平形すれ違い灯のカットオフライン形状と３列の検出列の配置を示しており、Ｘ軸の右側２°相当位置にカットオフラインの水平部検出のためのＦ、Ｇ、Ｈ検出列が垂直方向に設けられ、Ｘ軸の左側１°及び３°の相当位置にカットオフラインの立ち上がりラインである傾斜部検出のＡ、Ｊ、Ｋ検出列及びＬ、Ｍ、Ｎ検出列が設けられると共に、前記立ち上がりラインに対して直交する方向にこれらＡ、Ｊ、Ｋ検出列及びＬ、Ｍ、Ｎ検出列を配置している。
【００４６】
ステップ９（Ｐ９）において、カットオフラインの水平部を検出したＦ、Ｇ、Ｈ検出列のＧ検出点と、該水平部検出のＦ、Ｇ、Ｈ検出列に近い側の傾斜部を検出したＡ、Ｊ、Ｋ検出列のＪ点と、の垂直方向、即ち、Ｙ軸方向の検出位置差を算出し、ステップ１０（Ｐ１０）において該Ｙ軸方向の検出位置差が０．５°相当以上のＹＥＳであれば図１１に示すＺ形に、該検出位置差が０．５°相当以下のＮＯであれば図１３に示す水平形と判断し、Ｚ形のＹＥＳの場合はステップ１１（Ｐ１１）において、図１２に示す如くＦ、Ｇ、Ｈ検出列が検出した水平カットラインから０．４４°上方位置に、Ｚ形カットラインの垂直カットライン部分を検出するためのＲ、Ｗ、Ｑ検出列を水平方向に設け、該垂直部検出のＲ、Ｗ、Ｑ検出列を新たに加えて、前記ステップ９からステップ１１までのＺ形の第４段階の測定手順とした。
【００４７】
Ｒ、Ｗ、Ｑ検出列は、例えば、次の計算式の如く
２Ｗ−（Ｒ＋Ｑ）＝０
の位置を算出し、垂直カットラインとする。
【００４８】
そして垂直カットラインと前記Ｆ、Ｇ、Ｈ検出列が算出した水平カットラインの交点をＺ形のエルボー点とし、この座標位置をＺ形カットラインの上下値、左右値として表示し、Ｐ点又はＰ点の光度を光度値で表示すると共に図１５の図ロのＺ形ラインを模したマークを表示する。
【００４９】
この様に、１０°以下の傾斜角の立ち上がりラインにおいて、傾斜ラインと水平ラインとのＹ軸方向の検出位置差を算出することによりＺ形配光か水平形配光かを演算処理部８が判別し、Ｚ形であった場合は垂直ラインを検出することにより、従来は困難であったＺ形のエルボー点の左右位置を正確に算出することができる。
【００５０】
そして、前記ステップ１０（Ｐ１０）において、傾斜ラインと水平ラインとのＹ軸方向の検出位置差が０．５°相当以下のＮＯに判断された水平形の場合は第５段階としてステップ１２（Ｐ１２）に進み、ステップ１２（Ｐ１２）において、図１４に示す如くＦ、Ｇ、Ｈ検出列で水平カットラインを検出して上下方向とし、左右方向は、立ち上がりラインの勾配が水平に近いのでエルボー点のない水平カットの配光とみなし、×印に示す位置を高光度ゾーンであるホットゾーン位置とし、該ホットゾーン位置は
Ｓ−Ｔ＝０
の光度値を検出してＳ点〜Ｔ点を通るラインをＹ´軸とし、
Ｕ−Ｖ＝０
の光度値を検出してＵ点〜Ｖ点を通るラインをＸ´軸として、これらＹ´軸とＸ´軸の交点×印位置を高光度ゾーンであるホットゾーン位置即ちバランス点とし、ステップ１３（Ｐ１３）において、水平形すれ違い灯の上下方向値は前記Ｆ、Ｇ、Ｈ検出列で検出した水平カットライン位置で表示し、左右方向値は前記Ｓ点とＴ点を通るＹ´ラインとＵ点とＶ点を通るＸ´ラインの交点の×印で示したバランス点の左右位置で表示し、該バランス点の光度を光度値として表示し、図１５の図ハの水平形を模したマークを表示する。
【００５１】
この様に、立ち上がりラインの傾斜角度が水平に近いので、エルボー点として明確に左右位置の表示が困難である水平形すれ違い灯では、エルボー点でなく高光度ゾーンのバランス点を検出して左右位置を正確に算出することができる。
【００５２】
尚、前記図１１及び図１３における傾斜部検出のためのＡ、Ｊ、Ｋ検出列及びＬ、Ｍ、Ｎ検出列は前記第３段階と同様に立ち上がりラインに対して最初から直交する方向でラインを検出して正確な検出を目指した。
【００５３】
前記の如く、これらの標準形、Ｚ形及び水平形のすれ違い灯の照射方向と光度の算出値を表示すると共に図１５の図イ、図ロ、図ハに示す、これらのカットオフライン形状を模したマークを同時に表示したことにより測定者にライトの種類を明確に識別させることができる。
【００５４】
最後に、走行灯の測定では、前述の如く、図１６の第２配置型を使用し、図１７のフローチャート図に従って説明する。
【００５５】
走行灯用のフローチャート図のステップ１（Ｐ１）として、ＣＣＤカメラ４で配光スクリーン３上のランプ配光を画像取込み部７に取り込み、ステップ２（Ｐ２）では所定の検出点の光量が上下、左右それぞれが等しい位置の座標点を演算処理し、ステップ３（Ｐ３）において、
Ａ−Ｂ＝０
Ｃ−Ｄ＝０
の位置を検出し、ＮＯであれば、ステップ１（Ｐ１）に戻し、ＹＥＳであれば、ステップ４（Ｐ４）に進み、上下（Ｙ軸）、左右（Ｘ軸）の交点を照射方向として、基準位置（測定ライトの前記正対した機械的中心位置）を０−０とした時の差分を照射方向として表示すると共に、Ｘ−Ｙ軸交点の明るさを光度として表示し、以降の測定が必要でないＮＯであれば測定を終了し、再測定が必要なＹＥＳであればステップ１（Ｐ１）に戻す。
【産業上の利用可能性】
【００５６】
活用例として本発明のヘッドライトテスター１は、カットオフラインのあるヨーロッパタイプのＥＣＥ方式のすれ違い灯の拡大規格と変形ライトに対応できると共に、３段階の測定手順により、誤差を生じやすいエルボー点の左右方向位置を正確に検出することができる。
【図面の簡単な説明】
【００５７】
【図１】本発明の実施例１のヘッドライトテスターの正面図である。
【図２】その主要部の断面図である。
【図３】その演算処理系のシステム構成図である。
【図４】第１段階の検出列の配置図である。
【図５】その測定時の配光の説明図である。
【図６】第２段階の検出列の配置図である。
【図７】その測定時の配光の説明図である。
【図８】第３段階の検出列の配置図である。
【図９】その測定時の配光の説明図である。
【図１０】すれ違い灯の照射方向検出の算出手順のフローチャート図である。
【図１１】第４段階のＺ形判断の検出列の配置図である。
【図１２】垂直検出列が追加されたＺ形配光の測定時の説明図である。
【図１３】第４段階の水平形判断の検出列の配置図である。
【図１４】第５段階の水平形配光の測定時の説明図である。
【図１５】３つのライン形状の表示マークの説明図である。
【図１６】走行灯用の検出点の第２の配置図である。
【図１７】走行灯の照射方向検出の算出手順のフローチャート図である。
【図１８】従来の固定測定センサの配置図である。
【図１９】その走行灯測定時のセンサ配置図である。
【図２０】そのすれ違い灯測定時のセンサ配置図である。
【符号の説明】
【００５８】
１        ヘッドライトテスター
１ａ      筐体
２        集光レンズ
３        配光スクリーン
４        ＣＣＤカメラ
５        ハーフミラー
６        ライト正対用スクリーン
７        画像取込み部
８        演算処理部
９        配置型記憶部
１０      プログラム部
１１      表示制御部
１２      表示部
１３      操作部
【図１】
2005255004.tif 000003
【図２】
2005255004.tif 000004
【図３】
2005255004.tif 000005
【図４】
2005255004.tif 000006
【図５】
2005255004.tif 000007
【図６】
2005255004.tif 000008
【図７】
2005255004.tif 000009
【図８】
2005255004.tif 000010
【図９】
2005255004.tif 000011
【図１０】
2005255004.tif 000012
【図１１】
2005255004.tif 000013
【図１２】
2005255004.tif 000014
【図１３】
2005255004.tif 000015
【図１４】
2005255004.tif 000016
【図１５】
2005255004.tif 000017
【図１６】
2005255004.tif 000018
【図１７】
2005255004.tif 000019
【図１８】
2005255004.tif 000020
【図１９】
2005255004.tif 000021
【図２０】
2005255004.tif 000022
【手続補正書】
【提出日】平成16年4月22日(2004.4.22)
【手続補正１】
【補正対象書類名】図面
【補正対象項目名】全図
【補正方法】変更
【補正の内容】
【図１】
2005255004.tif 000023
【図２】
2005255004.tif 000024
【図３】
2005255004.tif 000025
【図４】
2005255004.tif 000026
【図５】
2005255004.tif 000027
【図６】
2005255004.tif 000028
【図７】
2005255004.tif 000029
【図８】
2005255004.tif 000030
【図９】
2005255004.tif 000031
【図１０】
2005255004.tif 000032
【図１１】
2005255004.tif 000033
【図１２】
2005255004.tif 000034
【図１３】
2005255004.tif 000035
【図１４】
2005255004.tif 000036
【図１５】
2005255004.tif 000037
【図１６】
2005255004.tif 000038
【図１７】
2005255004.tif 000039
【図１８】
2005255004.tif 000040
【図１９】
2005255004.tif 000041
【図２０】
2005255004.tif 000042